Podtech/llm-jp-corpus-v4-ja_patent huggingface dataset:
【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
物体に関する位置情報を決定するための機器であって、
複数の受信エレメントを含む、受信するための手段と、
前記受信エレメントで受信された信号を検出し、前記受信信号を表す出力信号を生成するための検出手段と、
各受信エレメントごとに、他の任意の受信エレメントで受信される信号から生成される任意の出力信号とは別に、その受信エレメントで受信される前記信号から生成される前記出力信号にプロセスを適用し、その結果、その受信エレメントで受信される前記信号を表すパラメータのそれぞれの値を得るように動作可能な処理手段とを含み、
前記処理手段はさらに、こうして得られた前記パラメータの前記値を比較し、その結果、前記物体に関する位置情報を取得するように動作可能な機器。
【請求項２】
前記パラメータが、位相および時間のうちの１つである、請求項１に記載の機器。
【請求項３】
前記処理手段によって適用される前記プロセスが、前記信号の特性、または予想される特性に依存する、請求項１または２に記載の機器。
【請求項４】
前記特性、または予想される特性が、周波数、位相、帯域幅、およびパルス幅のうちの少なくとも１つである、請求項３に記載の機器。
【請求項５】
前記処理手段によって適用される前記プロセスが、前記物体の特性、または予想される特性に依存し、好ましくは、前記受信手段からの前記物体の距離、または予想される距離に依存する、前記請求項のいずれかに記載の機器。
【請求項６】
複数の可能なプロセスから、前記処理手段によって適用される前記プロセスを選択するように適合された選択手段をさらに含む、前記請求項のいずれかに記載の機器。
【請求項７】
複数組のプロセスデータを記憶するための手段を含み、
前記選択手段が、前記複数組のプロセスデータから１組のプロセスデータを選択し、それにより前記処理手段によって適用される前記プロセスを選択するように適合される、請求項６に記載の機器。
【請求項８】
前記パラメータの、少なくとも１つのあらかじめ取得された値に応じて、かつ／または前記物体に関する、あらかじめ取得された位置情報に応じて、前記処理手段によって適用される前記プロセスを変更するための手段をさらに含む、前記請求項のいずれかに記載の機器。
【請求項９】
前記プロセスが整合フィルタを含む、前記請求項のいずれかに記載の機器。
【請求項１０】
前記プロセスが、複数の異なる時間オフセットでフィルタを前記出力信号に適用すること、および前記フィルタからの前記出力に応じて時間オフセットを選択することを含む、請求項９に記載の機器。
【請求項１１】
前記処理手段の動作が、複数の前記受信エレメントによって受信された信号の間の間隔を検出するように整合フィルタを適用し、それによって前記物体の角位置を決定することを含む、前記請求項のいずれかに記載の機器。
【請求項１２】
少なくとも１つの時変信号の形に応じて、および好ましくは前記少なくとも１つの時変信号の包絡線の形に応じて、前記整合フィルタを生成するための手段を含む、請求項９から１１のいずれかに記載の機器。
【請求項１３】
前記生成手段が、前記少なくとも１つの時変信号の前記形、または前記少なくとも１つの時変信号の前記包絡線を、関数、好ましくは二次関数に合わせるように適合される、請求項１２に記載の機器。
【請求項１４】
前記受信手段および検出手段が、その周波数の５％、１０％、または２０％よりも大きい帯域幅を有する信号を受信し検出するように適合される、前記請求項のいずれかに記載の機器。
【請求項１５】
各信号が、０．５ＧＨｚ〜２４ＧＨｚ、好ましくは２ＧＨｚ〜１２ＧＨｚ、およびより好ましくは５．８ＧＨｚ〜７．２ＧＨｚの特性周波数を有する、前記請求項のいずれかに記載の機器。
【請求項１６】
前記信号がパルス信号である、前記請求項のいずれかに記載の機器。
【請求項１７】
各パルス信号が、少なくとも５サイクルを含み、好ましくは少なくとも１０、２０、５０、１００、または５００サイクルを含む、請求項１６に記載の機器。
【請求項１８】
各パルス信号が、２ｎｓより長い、好ましくは５ｎｓ、１０ｎｓ、２０ｎｓ、および５０ｎｓのうちの少なくとも１つよりも長いパルス長を有する、請求項１６または１７に記載の機器。
【請求項１９】
前記信号が、２ＭＨｚ〜２０ＭＨｚ、場合によっては５ＭＨｚ〜１５ＭＨｚ、および場合によっては１０．５ＭＨｚ〜１３．５ＭＨｚの特性繰返し周波数を有するパルス列を含む、請求項１６から１８のいずれかに記載の機器。
【請求項２０】
前記位置情報が、前記物体の角位置である、前記請求項のいずれかに記載の機器。
【請求項２１】
前記物体に向けてプローブ信号を送信するための手段をさらに含み、前記受信するための手段が、前記物体からの前記プローブ信号の反射を受信するように適合される、前記請求項のいずれかに記載の機器。
【請求項２２】
プローブ信号を送信するための前記手段が、前記物体と関連した送信機によって送信される信号と異なる信号を送信するように適合される、請求項２１に記載の機器。
【請求項２３】
前記プローブ信号を符号化し、それによってそれを前記物体から受信された信号と区別することができる手段をさらに含む、請求項２１または２２に記載の機器。
【請求項２４】
前記プローブ信号によって照射された物体の位置情報を決定するための手段をさらに含む、請求項２１から２３のいずれかに記載の機器。
【請求項２５】
前記照射された物体の前記位置情報を、少なくとも１つの既知の物体に関する位置情報と比較し、それによって異常な物体を識別することができるための手段をさらに含む、請求項２４に記載の機器。
【請求項２６】
前記比較の結果に応じて警報信号を生成するための手段をさらに含む、請求項２５に記載の機器。
【請求項２７】
前記物体または各物体が、送信機を組み込んだ物体を含むまたは備える、請求項２５または２６に記載の機器。
【請求項２８】
前記信号が、前記物体と関連した送信機によって送信される信号である、前記請求項のいずれかに記載の機器。
【請求項２９】
前記物体と関連した前記送信機によって送信される前記信号が、超広帯域（ＵＷＢ）信号である、請求項２８に記載の機器。
【請求項３０】
物体に関する位置情報を決定する方法であって、
複数の受信エレメントで信号を受信するステップと、
前記受信エレメントで、かつ前記受信信号を表す出力信号を生成するために、受信された信号を検出するステップと、
各受信エレメントごとに、他の任意の受信エレメントで受信される信号から生成される任意の出力信号とは別に、その受信エレメントで受信される前記信号から生成される前記出力信号を処理し、その結果、こうして得られたパラメータの値のうちのそれぞれの値を取得し、その結果、前記物体に関する位置情報を取得するステップとを含む方法。
【手続補正書】
【提出日】平成19年10月2日(2007.10.2)
【手続補正１】
【補正対象書類名】特許請求の範囲
【補正対象項目名】請求項１１
【補正方法】変更
【補正の内容】
【請求項１１】
さらに、デフォルトの要素優先度乗数値１、デフォルトのレベル優先度乗数値２８およびデフォルトのモデル参照優先度乗数値２１６を設定する工程を含み、前記ｚ−バッファは２２４ビットの大きさを有する請求項９に記載の方法。
【手続補正２】
【補正対象書類名】特許請求の範囲
【補正対象項目名】請求項１６
【補正方法】変更
【補正の内容】
【請求項１６】
さらに、デフォルトの要素優先度乗数値１、デフォルトのレベル優先度乗数値２８、およびデフォルトのモデル参照優先度乗数値２１６を設定する手段を含み、前記ｚ−バッファは２２４ビットの大きさを有する、当該手段を含む請求項１４に記載のシステム。
【手続補正３】
【補正対象書類名】特許請求の範囲
【補正対象項目名】請求項１８
【補正方法】変更
【補正の内容】
【請求項１８】
さらに、要素優先度乗数、レベル優先度乗数、およびモデル参照優先度乗数を決定する手順、および
前記要素優先度、前記レベル優先度および前記モデル参照優先度と、前記要素優先度乗数、前記レベル優先度乗数および前記モデル参照優先度乗数とを組合せる手順
をコンピュータに実行させるコンピュータ読取り可能なプログラムコードを含む請求項１７に記載のコンピュータ使用可能な情報記憶媒体。
【手続補正４】
【補正対象書類名】特許請求の範囲
【補正対象項目名】請求項１９
【補正方法】変更
【補正の内容】
【請求項１９】
さらに、前記要素に対するレベル属性を決定する手順、および
前記レベル属性に基づいて前記レベル優先度を取得する手順
をコンピュータに実行させるコンピュータ読取り可能なプログラムコードを含む、請求項１７に記載のコンピュータ使用可能な情報記憶媒体。
【手続補正５】
【補正対象書類名】明細書
【補正対象項目名】００２４
【補正方法】変更
【補正の内容】
【００２４】
表示優先度値は、ＣＤＡ画像内の要素を表示する際に、これらＣＡＤ画像内の要素の相対先行順位を決定するために使用することができる。表示優先度値は、要素の属性および他の判断基準に基づく値とすることができる。表示優先度値に基づいたｚ−バッファ手法を使用して、ＣＡＤ画像内の要素間の相対先行順位を築くことができる。この手法は、要素を描画する順番に依存しないという利点を有する。また、要素グループ（例えば、ＣＡＤ用語における「レベル」、「レイヤ」、または「モデル」）は、付随の優先度値を有することができる。要素の要素優先度属性、その要素のレベルのレベル優先度、およびその要素のモデル参照のモデル参照優先度を、組合せ（“結合させ”ともいう。）（ｃｏｍｂｉｎｅ：コンバイン）て、要素の表示優先度を決定することができる。これにより、要素表示優先度を、追加的に、予測可能に、制御することができる。
【手続補正６】
【補正対象書類名】明細書
【補正対象項目名】００４２
【補正方法】変更
【補正の内容】
【００４２】
ＰＤ＝（Ｐｅｌｅｍｅｎｔ  ×  Ｃｅｌｅｍｅｎｔ）＋（Ｐｌｅｖｅｌ  ×  Ｃｌｅｖｅｌ）＋（Ｐｍｏｄｅｌ  ×  Ｃｍｏｄｅｌ）（１）
ここで、ＰＤは表示優先度であり、Ｐｅｌｅｍｅｎｔは要素優先度であり、Ｃｅｌｅｍｅｎｔは要素優先度乗数であり、Ｐｌｅｖｅｌはレベル優先度であり、Ｃｌｅｖｅｌはレベル優先度乗数であり、Ｐｍｏｄｅｌはモデル参照優先度であり、Ｃｍｏｄｅｌはモデル参照優先度乗数である。一般的には、ＰＤ＝ｆ（Ｐｅｌｅｍｅｎｔ，Ｐｌｅｖｅｌ，Ｐｍｏｄｅｌ）である。要素の他の属性および状況をこの関数に使用してもよい。
【手続補正７】
【補正対象書類名】明細書
【補正対象項目名】００４４
【補正方法】変更
【補正の内容】
【００４４】
例示的な実施形態では、ｚ−バッファは、ＣＡＤ画像要素の表示優先度を格納するために使用することができる。計算表示優先度に基づいて要素を表示するため、公知のｚ−バッファリング技術を使用することができる。表示優先度レベルの数は、ｚ−バッファの大きさによってのみ制限される。ｚ−バッファが２２４ビットの大きさの場合、３つの定数に対するデフォルト値は、例えばＣｅｌｅｍｅｎｔ＝１、Ｃｌｅｖｅｌ＝２５６、Ｃｍｏｄｅｌ＝３２７６８である。
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
（ａ）リソースがバス（１０４）を介して複数の処理用複合体（１００ａ、１００ｂ、１００ｎ）によって共有され、前記リソースの構成の遅延が、前記処理用複合体の初期プログラムのロードの完了まで該リソースの構成を延期することを意味するものにおいて、該リソース（１０２）に関連する構成インジケータ（２００）が、前記リソースの構成の遅延を示しているかどうかを判断し、該リソースの構成の遅延が示されたとき、該複数の処理用複合体の初期プログラムのロード中は該リソースの構成を阻止するステップと、
（ｂ）前記処理用複合体の前記初期プログラムのロード完了後に、クラスタ化アプリケーションによって、該処理用複合体が前記リソースの論理的所有者であると判断するステップと、
（ｃ）前記リソースに関連する構成インジケータが該リソースの構成の遅延を示していると判断されることに応答して、該論理的所有者によって前記リソースを構成するステップと
を含む方法であって、
前記リソースの構成の遅延を判断するステップが、前記処理用複合体の前記初期プログラムのロードを実行するために実行される該処理用複合体のブート・アプリケーションによって実行され、
前記ステップ（ａ）において前記構成インジケータが前記リソースの構成の遅延を示していないと前記ブート・アプリケーションが判断することは、該リソースが共有リソースではないことを示すものであり、この判断に応答して、ステップ（ｂ）及びステップ（ｃ）が実行せずに、ブート・アプリケーションが、前記初期プログラムのロード中に該リソースを構成する
ことを特徴とする方法。
【請求項２】
前記複数の処理用複合体のうちの１つだけが前記リソースの論理的所有者であり、
前記方法は、前記論理的所有者によって、前記構成されたリソースの構成情報を前記複数の処理用複合体のうちの他の処理用複合体に配信するステップをさらに含む、請求項１に記載の方法。
【請求項３】
前記リソースの論理的所有者であり、該リソースを構成した前記複数の処理用複合体のうちの１つだけの故障を判断するステップと、
前記故障を判断する前記ステップに応答して、前記複数の処理用複合体から、該リソースの次の構成を担当する該リソースの新しい論理的所有者を決定するステップと
をさらに含む、請求項１に記載の方法。
【請求項４】
前記複数の処理用複合体のうちの１つだけが前記リソースの元の論理的所有者であり、
前記の方法は、前記元の論理的所有者の故障に応答して、前記複数の処理用複合体の中から該リソースの新しい論理的所有者を決定するステップと、
前記元の論理的所有者が前記故障から回復したことを判断するステップと、
前記元の論理的所有者が前記故障から回復したという判断に応答して、前記リソースの論理的所有者を、再び前記新しい論理的所有者から該元の論理的所有者に移転するステップと
をさらに含む、請求項１に記載の方法。
【請求項５】
前記複数の処理用複合体がマルチ・クラスタ・システムを備え、該複数の処理用複合体は、該複数の処理用複合体が共有する前記構成されたリソースを介して、ホストによってアクセスされる、請求項１に記載の方法。
【請求項６】
前記共有リソースがＰＣＩアダプタであり、前記バスがＰＣＩバスであり、前記構成インジケータが前記ＰＣＩアダプタ内に実装される、請求項１に記載の方法。
【請求項７】
前記請求項１〜６のいずれかの請求項に従った方法中に記載されている全てのステップを実行するように適合された手段を含むシステム。
【請求項８】
コンピュータ・システム上での実行時に、
前記コンピュータ・システムに、前記方法の請求項１〜６のいずれかの方法中に記載されている各ステップを実行するように命令するための、コンピュータ可読記憶媒体上に格納されたコンピュータ・プログラム。
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
第１および第２の入力ノードを有する増幅器を含み、出力に基準電圧を提供するバンドギャップ電圧基準回路であって、前記回路は、さらに、
トランジスタの少なくとも２つのペアを含み、それぞれのペアは第１のトランジスタと第２のトランジスタを有し、前記第１のトランジスタは前記第２のトランジスタと、異なる電流密度で動作しそれにより、使用時に、それぞれのペアの前記２つのトランジスタのベース・エミッタ間電圧の間の差ΔＶｂｅが生成するように適合され、
前記複数のペアは、
第１の電流密度を有するトランジスタが前記第１の入力ノードに結合されたチェーンの形で提供され、
第２の電流密度を有するトランジスタが前記第２の入力ノードに結合されたチェーンの形で提供される
ように配列され、
それぞれのペアにより提供される前記ΔＶｂｅの組合せは、前記増幅器の前記出力に質的に高められた（enhanced）ΔＶｂｅをもたらし、
前記質的に高められた（enhanced）ΔＶｂｅは、前記増幅器の前記出力と基準電位との間に結合された単一の抵抗器の両端のＰＴＡＴ電圧として生成される
ことを特徴とするバンドギャップ電圧基準回路。
【請求項２】
トランジスタの３つのペアが備えられ、前記ペアのそれぞれはΔＶｂｅ成分を生成し、前記増幅器の前記出力の前記抵抗器の両端に生成された前記質的に高められた（enhanced）ΔＶｂｅは３ΔＶｂｅと等価であることを特徴とする請求項１に記載の回路。
【請求項３】
さらに、前記第１の電流密度で動作する前記３つのトランジスタのそれぞれをＰＴＡＴ（絶対温度比例）電流により駆動し、前記他の３つのトランジスタを定電流により駆動することにより曲率補正電圧を生成するように適合され、
前記曲率補正電圧と前記３ΔＶｂｅとの総和は両方とも前記増幅器の前記出力の前記抵抗器の両端に印加され、それにより、前記バンドギャップ回路に関連付けられた曲率を補正し、温度の影響を受けない電圧基準出力を提供することを特徴とする請求項２に記載の回路。
【請求項４】
前記ＰＴＡＴ電流は、前記増幅器の前記出力の前記抵抗器を通して流れる規定された電流をミラー化することにより生成され、これにより前記第１の電流密度で動作する前記トランジスタのそれぞれを駆動することを特徴とする請求項３に記載の回路。
【請求項５】
前記トランジスタのそれぞれは、ＭＯＳプロセス実装で提供されることを特徴とする請求項１に記載の回路。
【請求項６】
トランジスタの前記ペアのうちの２つはバイポーラ・トランジスタを使用して形成され、第３のペアは横型トランジスタを使用して形成されることを特徴とする請求項２に記載の回路。
【請求項７】
前記第３のペアは、前記増幅器の入力ステージを提供することを特徴とする請求項６に記載の回路。
【請求項８】
前記第３のペアは、前記増幅器の非対称入力ステージを提供することを特徴とする請求項７に記載の回路。
【請求項９】
さらに、トランジスタの前記第３のペアに結合された負荷トランジスタのペアを含み、前記負荷トランジスタはトランジスタの前記第３のペアを流れる電流を均一にするように適合されることを特徴とする請求項７に記載の回路。
【請求項１０】
トランジスタの前記第３のペアは、両方ともＰＴＡＴ電流により駆動されることを特徴とする請求項７に記載の回路。
【請求項１１】
供給される前記ＰＴＡＴ電流は、前記回路の外部で生成されることを特徴とする請求項１０に記載の回路。
【請求項１２】
前記増幅器の第２ステージは、ＰＴＡＴ電流源により駆動されるＭＯＳトランジスタにより提供され、前記ＭＯＳトランジスタは前記複数の負荷トランジスタのうちの１つと、トランジスタの前記第３のペアを形成する前記複数のトランジスタのうちの１つのコレクタとに結合されることを特徴とする請求項９に記載の回路。
【請求項１３】
さらに、前記増幅器の前記出力に備えられたＭＯＳトランジスタを含み、前記ＭＯＳトランジスタはＰＴＡＴ電流により駆動され、前記ＭＯＳトランジスタのベースは前記増幅器の前記出力ノードに直結され、そのエミッタ・ノードは前記回路の出力を提供することを特徴とする請求項１に記載の回路。
【請求項１４】
前記ＭＯＳトランジスタのソースは、バイポーラ・トランジスタのエミッタに結合され、前記バイポーラ・トランジスタのコレクタは基準電位に結合され、前記バイポーラ・トランジスタのベースは前記抵抗器に結合されることを特徴とする請求項１３に記載の回路。
【請求項１５】
トランジスタの前記３つのペアのそれぞれは、バイポーラ構成で提供され、第３のペアは増幅器の入力ステージを提供し、前記増幅器は電圧フォロワ構成で提供されるバイポーラ・トランジスタに結合された出力ノードを有し、前記電圧基準は、前記増幅器の前記出力と前記電圧フォロワとの間のノードで提供されることを特徴とする請求項２に記載の回路。
【請求項１６】
さらに、前記増幅器の前記出力に、前記回路上で感知された温度を表す電圧を提供するように適合され、それにより温度センサを提供、前記温度を示す前記電圧は、トランジスタの前記第１および第２のチェーンのそれぞれをＰＴＡＴ（絶対温度比例）電流で駆動することにより生成され、前記３ΔＶｂｅは前記増幅器の前記出力の前記抵抗器の両端に提供され、それによりデバイス上の前記温度を示す電圧を出力ノードに提供することを特徴とする請求項２に記載の回路。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
ネットワーク・データ処理システムにおける既知のノードの組についてのトランザクションを監視するためのデータ処理システムにおける方法であって、
前記データ処理システム中のルータからキャッシュ・データを受信するステップであって、前記キャッシュ・データは、前記ネットワーク・データ処理システム上へトランザクションについてのデータ・パケットを送信する既知のノードの前記組の識別子を含むステップと、
ノードの前記組についてのトランザクションを前記ルータからの前記キャッシュ・データを用いて追跡するステップと
を含む方法。
【請求項２】
前記キャッシュ・データは、前記ルータ上に位置するアドレス解決プロトコル・キャッシュからのものである請求項１に記載の方法。
【請求項３】
前記ネットワーク・データ処理システム上の他のルータからキャッシュ・データを受信するステップをさらに含む請求項１または請求項２に記載の方法。
【請求項４】
前記受信ステップは、周期的に生じ、
既知のノードの前記組中のノードにより扱われるトランザクションを、前記ルータから周期的に受信された前記キャッシュ・データを用いて識別するステップをさらに含む請求項１乃至請求項３のいずれか一項に記載の方法。
【請求項５】
既知のノードの前記組中の各ノードの使用状況を、前記キャッシュ・データを用いて分析するステップをさらに含む請求項１乃至請求項４のいずれか一項に記載の方法。
【請求項６】
既知のノードの前記組中の各ノードの使用状況の分析に応答して、負荷分散プロセスを選択的に開始するステップをさらに含む請求項５に記載の方法。
【請求項７】
既知のノードの前記組のグラフィカル表示を生成するステップをさらに含み、前記グラフィカル表示は、そのネットワーク・トラフィックがグラフィカル表示された通信パスを含む請求項４に記載の方法。
【請求項８】
前記キャッシュ・データは、前記ルータ上に位置するエージェントを介して受信される請求項２に記載の方法。
【請求項９】
前記エージェントは、データが前記データ処理システムに送信されるたびに、前記アドレス解決プロトコル・キャッシュをクリアする請求項８に記載の方法。
【請求項１０】
ネットワーク・データ処理システムにおける既知のノードの組についてのトランザクションを監視するためのデータ処理システムであって、
バス・システムと、
前記バス・システムに接続された通信ユニットと、
前記バス・システムに接続されたメモリであって、命令の組を含むメモリと、
前記バス・システムに接続された処理ユニットであって、前記データ処理システム中のルータからキャッシュ・データを受信するために命令の前記組を実行し、前記キャッシュ・データは、前記ネットワーク・データ処理システム上へトランザクションについてのデータ・パケットを送信する既知のノードの前記組の識別子を含み、前記ルータからの前記キャッシュ・データを用いてノードの前記組についての前記トランザクションを追跡する処理ユニットと
を含む、データ処理システム。
【請求項１１】
ネットワーク・データ処理システムにおける既知のノードの組についてのトランザクションを監視するためのデータ処理システムであって、
前記データ処理システム中のルータからキャッシュ・データを受信するための受信手段であって、前記キャッシュ・データは、前記ネットワーク・データ処理システム上へトランザクションについてのデータ・パケットを送信する既知のノードの前記組の識別子を含む受信手段と、
前記ルータからの前記キャッシュ・データを用いてノードの前記組についての前記トランザクションを追跡するための追跡手段と
を含む、データ処理システム。
【請求項１２】
ネットワーク・データ処理システムにおける既知のノードの組についてのトランザクションを監視するためのコンピュータ可読媒体中のコンピュータ・プログラムであって、
前記データ処理システム中のルータからキャッシュ・データを取得するための第１の命令であって、前記キャッシュ・データは、前記ネットワーク・データ処理システム上にトランザクションについてのデータ・パケットを送信する既知のノードの前記組の識別子を含む第１の命令と、
前記ルータからの前記キャッシュ・データを用いてノードの前記組についての前記トランザクションを追跡するための第２の命令と
を含む、コンピュータ・プログラム。
【手続補正書】
【提出日】平成18年12月18日(2006.12.18)
【手続補正１】
【補正対象書類名】特許請求の範囲
【補正対象項目名】請求項３２
【補正方法】変更
【補正の内容】
【請求項３２】
前記ソフトウェアが、前記ソフトウェア設計環境においてユーザが承認手順を開始したときに、前記変更が行われたときを検出することを特徴とする、請求項３０記載のソフトウェアオブジェクト承認システム。
【手続補正２】
【補正対象書類名】図面
【補正対象項目名】図９
【補正方法】変更
【補正の内容】
【図９】
2007518145.tif 000001
【手続補正３】
【補正対象書類名】図面
【補正対象項目名】図１０
【補正方法】変更
【補正の内容】
【図１０】
2007518145.tif 000002
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
電力管理を有する集積回路であって、
命令を実行する処理回路と、
前記処理回路に結合されて、データを前記処理回路に与える少なくとも１つのメモリ・アレイと、
前記少なくとも１つのメモリ・アレイに結合された制御回路と、を備え、
前記制御回路は、最初に前記少なくとも１つのメモリ・アレイに対する全てのアクセスを使用不能にし、次に、前記少なくとも１つのメモリ・アレイの全てに対する電力を取り去って、前記少なくとも１つのメモリ・アレイの漏れ電流を低減することにより、電圧供給端子に対する前記少なくとも１つのメモリ・アレイの電気接続を取り去る、集積回路。
【請求項２】
前記少なくとも１つのメモリ・アレイに結合された１又はそれより多くのサポート・メモリ・アレイを更に備え、
前記少なくとも１つのサポート・メモリ・アレイが、前記少なくとも１つのメモリ・アレイを動作させるようサポート機能を与え、
前記制御回路は、電力が前記少なくとも１つのメモリ・アレイの全てに対する電力を取り去られるとき、前記少なくとも１つのメモリ・アレイの中の全てのデータが前記少なくとも１つのメモリ・アレイに対する電力を回復すると直ぐに使用不能と印をされねばならないかどうかに依存して前記１又はそれより多くのサポート・メモリ・アレイを選択的に給電しておく
請求項１記載の集積回路。
【請求項３】
前記制御回路が、前記電圧供給端子に結合された第１の端子と前記少なくとも１つのメモリ・アレイの電力プレーン端子に結合された第２の端子とを有するスイッチを更に備え、
前記スイッチが更に、当該スイッチが導通状態にあるときを決定する制御信号を受け取る制御端子を備える
請求項１記載の集積回路。
【請求項４】
電力管理を有する集積回路であって、
命令を実行する処理回路と、
メモリ・アレイ内に含まれる複数のメモリ・ビット・セルであって、電力供給端子に結合されて、第１の電力プレーンを生成する複数のメモリ・ビット・セルと、
前記複数のメモリ・ビット・セルの周辺にあるメモリ・アレイ周辺回路であって、前記電力供給端子に選択的に結合されて、前記第１の電力プレーンから独立である第２の電力プレーンを生成するメモリ・アレイ周辺回路と、
前記複数のメモリ・ビット・セルの周辺にある前記メモリ・アレイ周辺回路に結合された制御回路であって、前記複数のメモリ・ビット・セルの周辺にある前記メモリ・アレイ周辺回路の電力供給端子に対する電気接続を選択的に取り去る記制御回路と
を備える集積回路。
【請求項５】
集積回路の中の漏れ電流を低減する方法であって、
メモリ・セルのアレイを備える回路の第１の電力プレーンを設けるステップと、
プロセッサ及び制御回路を備える回路の第２の電力プレーンを設けるステップと、を備え、
前記制御回路は、最初に前記メモリ・セルのアレイに対する全てのアクセスを使用不能にし、次に、前記メモリ・セルのアレイの全てに対する電力を取り去ることにより、電圧供給端子に対する前記メモリ・セルのアレイの電気接続を取り去って、前記メモリ・セルのアレイの漏れ電流を低減する、方法。
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
エスカレータの手摺の前面のガード装置であって、前記ガード装置は手摺の前端とエスカレータの最前段の間の距離にほぼ匹敵する長さを持ち、前記ガード装置は、
手摺の前端とエスカレータの最前段の間に存するエスカレータの入口域に位置する手摺の一部分を受け入れるための所定の深さで前記ガード装置の底部に形成された案内経路と、
前記案内経路に受け入れられる前記エスカレータの手摺の少なくとも一部を殺菌するために、前記ガード装置内に設置された殺菌ユニットと、
前記エスカレータの入口域において手摺の前記端部につながる斜面上の、前記ガード装置の頂部に配設された広告表示ユニットと、
前記殺菌ユニットと前記広告表示ユニットを電力で制御する制御ユニットと、
を備えるガード装置。
【請求項２】
前記案内経路は前記ガード装置の底面の中心線に沿って配設される、請求項１記載のガード装置。
【請求項３】
前記ガード装置内部に設置され、前記ガード装置に受け入れられる手摺に向かい合いながら手摺と一定の距離で離間されている紫外線ランプによって前記殺菌ユニットが具現化される、請求項１記載のガード装置。
【請求項４】
前記ガード装置内部に設置され、前記ガード装置に受け入れられる手摺に向かい合いながら手摺と一定の距離で離間されている噴霧器によって前記殺菌ユニットが具現化される、請求項１記載のガード装置。
【請求項５】
前記殺菌ユニットは、内部に受け入れられる前記手摺に殺菌液を塗布する塗布手段によって具現化される、請求項１記載のガード装置。
【請求項６】
前記殺菌ユニットは、内部に受け入れられる前記手摺の側面ならびに上面に紫外線光を照射する反射板を備える、請求項３記載のガード装置。
【請求項７】
前記塗布手段は、殺菌液を供給された、該殺菌液を塗布するべく前記手摺に接触しているローラーを含む、請求項５記載のガード装置。
【請求項８】
前記広告表示ユニットの表示パネルは、ＬＥＤ、ＬＣＤ、有機ＥＬシートおよびホログラムからなる群から選択される任意の１つによって具現化される、請求項１記載のガード装置。
【請求項９】
前記広告表示ユニットは、所望の文字またはロゴを表示するべくプログラムされるように構成される、請求項１記載のガード装置。
【請求項１０】
前記広告表示ユニットは、前記広告表示ユニットへのプログラム入力を変更することによって、広告内容を別の内容と置き換えることを可能にするように構成される、請求項９記載のガード装置。
【請求項１１】
前記広告表示ユニットの表示パネルは、プラスチック、合成樹脂、ガラスまたはアクリル樹脂からなる群から選択される任意の１つによって具現化される透明カバーで被覆される、請求項１記載のガード装置。
【請求項１２】
前記エスカレータの入口域の空気を引き込み、空気からバクテリアと塵埃を除去し、空気を前記ガード装置の外へ排出するように機能する空気清浄化ユニットをさらに備える、請求項１記載のガード装置。
【請求項１３】
前記制御ユニットは前記ガード装置の内部に配設される、請求項１記載のガード装置。
【請求項１４】
エスカレータの手摺の前面のガード装置であって、前記ガード装置は、手摺の前端とエスカレータの最前段の間の距離にほぼ匹敵する長さを持ち、前記ガード装置は、
手摺の前端とエスカレータの最前段の間に位置する手摺の一部分を受け入れるための所定の深さで前記ガード装置の底部に形成された案内経路と、
手摺が前記ガード装置を通って動く際に手摺を殺菌するために、前記ガード装置内に設置された殺菌ユニットと、
手摺の前端付近の前記ガード装置上で、手摺の前端につながる斜面上に配設された広告表示ユニットと、
前記殺菌ユニットと前記広告表示ユニットを電力で制御する制御ユニットと、
を備えるガード装置。
【請求項１５】
前記ガード装置の内部に設置され、前記ガード装置に受け入れられる手摺に向かい合いながら手摺と一定の距離で離間されている紫外線ランプによって前記殺菌ユニットが具現化される、請求項１４記載のガード装置。
【請求項１６】
前記広告表示ユニットは、所望の文字またはロゴを表示するべくプログラムされるように構成される、請求項１４記載のガード装置。
【請求項１７】
エスカレータの手摺の前面のガード装置であって、前記ガード装置は、
前記手摺の頂面の一部分と前記手摺の前端の少なくとも一部が受け入れられる内部を画定する筺体であって、前記筐体はその底部に沿って開口部を有し、該開口部は、手摺の底部が前記開口部を介して前記筺体の内部に進入するような配置となっている、筺体と、
前記手摺が前記筺体を通って動く際に前記手摺を殺菌するために、前記筺体内に設置された殺菌ユニットと、
前記手摺の前端付近の前記筺体内で、前記手摺の前端につながる斜面上に配設された広告表示ユニットと、
前記殺菌ユニットと前記広告表示ユニットを電力で制御する制御ユニットと、
を備えるガード装置。
【請求項１８】
前記ガード装置の内部に設置され、前記ガード装置に受け入れられる手摺に向かい合いながら手摺と一定の距離で離間されている紫外線ランプによって前記殺菌ユニットが具現化される、請求項１７記載のガード装置。
【請求項１９】
前記広告表示ユニットは、所望の文字またはロゴを表示するべくプログラムされるように構成される、請求項１７記載のガード装置。
【請求項２０】
前記広告表示ユニットは、前記広告表示ユニットへのプログラム入力を変更することによって、広告内容を別の内容と置き換えることを可能にするように構成される、請求項１９記載のガード装置。
【手続補正書】
【提出日】平成19年10月30日(2007.10.30)
【手続補正１】
【補正対象書類名】明細書
【補正対象項目名】０１５０
【補正方法】変更
【補正の内容】
【０１５０】
実施例５３．４’−｛（２Ｓ，３Ｒ）−３−［（３Ｓ／Ｒ）−３−（４−フルオロフェニル）−３−ヒドロキシプロピル］−４−オキソ−１−フェニルアゼチジン−２−イル｝−３’−ヒドロキシビフェニル−３−スルホン酸ナトリウム
【化７０】
2007520453.tif 000001
５−ブロモ−２−｛（２Ｓ，３Ｒ）−３−［（３Ｓ）−３−｛［ｔｅｒｔ−ブチル（ジメチル）シリル］オキシ｝−３−（４−フルオロフェニル）プロピル］−４−オキソ−１−フェニルアゼチジン−２−イル｝フェニルアセテート（１４０．０ｍｇ，０．２２３ｍｍｏｌ）を、ポリプロピレン製Ｆａｌｃｏｎ（登録商標）管中、アセトニトリル（８．０ｍＬ）及び４８％フッ化水素酸（０．８ｍＬ）に溶解した。反応物を室温で４時間撹拌した後、０．５Ｍリン酸カリウム（５０ｍＬ）に注ぎ入れ、１：１酢酸エチル−ヘキサン（５０ｍＬ）で抽出し、飽和重炭酸ナトリウム溶液（５０ｍＬ）及びブライン（５０ｍＬ）で洗浄し、硫酸ナトリウムで乾燥し、濾過し、濃縮し、クロマトグラフィー（１２ｇシリカゲル，１５％〜９０％酢酸エチル−ヘキサン）で精製して、５−ブロモ−２−｛（２Ｓ，３Ｒ）−３−［（３Ｓ）−３−（４−フルオロフェニル）−３−ヒドロキシプロピル］−４−オキソ−１−フェニルアゼチジン−２−イル｝フェニルアセテート（１１４．５ｍｇ，１００％収率）を透明発泡体として得た。Ｒｆ０．１１（１：４酢酸エチル−ヘキサン）
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
次式：
【化１】
2007520440.tif 000001
［式中、
Ｑ、Ｘ，Ｙ、およびＺはＣＲ1およびＮからなる群から独立して選択され、Ｑ、Ｘ、Ｙ、およびＺのうち２つまでがＮであり、Ｑ、Ｘ、Ｙ、およびＺのうち少なくとも２つがＣＨであるか、または、ＹはＣＨ、ＺはＣＨ、「Ｑ＝Ｘ」部分は「Ｓ」で示されチオフェン環を形成し、
Ｒ1はそれぞれ、水素、ハロゲン、Ｃ1−Ｃ4アルコキシおよびＣ1−Ｃ4アルキルからなる群から独立して選択され、
Ｒ2は、ハロゲン；Ｃ1−Ｃ4アルコキシ；Ｃ1−Ｃ4アルキル；Ｃ3−Ｃ8シクロアルキル；シアノ；トリフルオロメチル；ハロゲン、Ｃ1−Ｃ4アルコキシ、およびＣ1−Ｃ4アルキルからなる群から独立して選択される１または２個の置換基で置換されていてもよいピリジニル；ハロゲン、Ｃ1−Ｃ4アルコキシ、およびＣ1−Ｃ4アルキルからなる群から選択される１つの置換基で置換されていてもよいチエニル；ハロゲン、Ｃ1−Ｃ4アルコキシ、Ｃ1−Ｃ4アルキル、トリフルオロメチル、およびシアノからなる群から独立して選択される１〜３個の置換基で置換されていてもよいフェニル；およびハロゲン、Ｃ1−Ｃ4アルコキシ、およびＣ1−Ｃ4アルキルからなる群から独立して選択される１または２個の置換基で置換されていてもよいピロリルからなる群から選択され、
Ｒ3aは、式
（Ｚ’）−（Ｙ’）q−（’）p−
（ここで、Ｘ’はＣ1−Ｃ4アルカンジイルおよび
【化２】
2007520440.tif 000002
からなる群から選択され、
Ｙ’はＯおよびＳからなる群から選択され、ならびに
Ｚ’はＣ1−Ｃ4アルキル；ハロゲン、Ｃ1−Ｃ4アルコキシ、Ｃ1−Ｃ4アルキル、トリフルオロメチル、シアノ、およびニトロからなる群から独立して選択される１〜３個の置換基で置換されていてもよいＣ3−Ｃ8シクロアルキル；ハロゲン、Ｃ1−Ｃ4アルコキシ、Ｃ1−Ｃ4アルキル、トリフルオロメチル、シアノ、およびニトロからなる群から独立して選択される１〜３個の置換基で置換されていてもよいフェニル；ハロゲン、Ｃ1−Ｃ4アルコキシ、およびＣ1−Ｃ4アルキルからなる群から独立して選択される１または２個の置換基で置換されていてもよいヘテロアリール；およびハロゲン、Ｃ1−Ｃ4アルコキシ、Ｃ1−Ｃ4アルキルからなる群から独立して選択される１または２個の置換基で置換されていてもよいヘテロ環から選択され、
ｐはゼロまたは１であり、
ｑはゼロまたは１であって、
ｐがゼロの場合には、ｑはゼロである）
で示される基であり、Ｒ3bは水素、Ｃ1−Ｃ4アルキル、およびベンジルからなる群から選択されるか、または
Ｒ3aおよびＲ3bはそれらが結合する窒素とともに、ハロゲン、Ｃ1−Ｃ4アルコキシ、およびＣ1−Ｃ4アルキルからなる群から独立して選択される１または２個の置換基で置換されていてもよいヘテロ環を形成し、
Ｒ4は水素、ヒドロキシ、およびフルオロからなる群から選択され、
Ｒ5は水素、ハロゲン、Ｃ1−Ｃ4アルコキシ、およびＣ1−Ｃ4アルキルからなる群から選択され、
ｍは１または２であり、
ｎは１または２である］
で示される化合物、あるいは医薬的に許容し得るその付加塩。
【請求項２】
請求項１の化合物を含有するムスカリン受容体に関連する障害の治療のための医薬製剤。
【請求項３】
請求項１の化合物を含有する認知障害の治療のための医薬製剤。
【請求項４】
請求項１の化合物を含有するアルツハイマー病の治療のための医薬製剤。
【請求項５】
請求項１の化合物を含有する統合失調症の治療のための医薬製剤。
【請求項６】
請求項１の化合物を含有する軽度認知障害の治療のための医薬製剤。
【請求項７】
請求項１の化合物を含有する統合失調症に関連する認知障害の治療のための医薬製剤。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
データ処理システムにおいてリソースを論理的にプロビジョニングする方法であって、前記方法が、プロビジョニング環境で複数のリソースのうちの１つについての要求を受信するステップであって、前記複数のリソースのうちの前記１つが複数の異なるタイプのリソースのうちの１つであるものと、前記複数のリソースのうちの前記１つの特定のインスタンスを、前記複数の異なるタイプのリソースのうちの未割り当ての利用可能なリソースのグループから選択するステップと、前期選択した特定のインスタンスと他のリソースとの論理的な関係を確立することによって、前記要求を履行するために前記選択した特定のインスタンスを論理的にプロビジョニングするステップとを有することを特徴とする方法。
【請求項２】
前記選択した特定のインスタンスが使用するために必要な前記複数のリソースのうちの他のものを識別するステップをさらに有することを特徴とする請求項１に記載の方法。
【請求項３】
前記他のものの各々の特定のインスタンスを、前記選択した特定のインスタンスが使用するために必要な前記複数の異なるタイプのリソースのうちの未割り当ての利用可能なリソースのグループから選択するステップと、前記他のものの各々の間に論理的な関係を確立することによって、要求を履行するために前記他のものの各々について前記選択した特定のインスタンスを論理的にプロビジョニングするステップとをさらに有することを特徴とする請求項１または請求項２に記載の方法。
【請求項４】
前記選択した特定のインスタンスが予約される過程にあることを示すステップであって、前記選択した特定のインスタンスが予約される過程にあるとして示された後は選択に利用できないものをさらに有することを特徴とする請求項１乃至請求項３のいずれか一項に記載の方法。
【請求項５】
前記未割り当ての利用可能なリソースのグループが、前記複数のリソースのうちの他のものと予め割り当てられた論理的対応関係を含まないステップをさらに有することを特徴とする請求項１乃至請求項４のいずれか一項に記載の方法。
【請求項６】
状態変数を前記複数のリソースの各々に対応付けるステップと、前記状態変数を利用して前記複数のリソースの各々が選択に利用可能かどうかを示すステップとをさらに有することを特徴とする請求項１乃至請求項５のいずれか一項に記載の方法。
【請求項７】
状態変数を前記複数のリソースの各々に対応付けるステップと、前記状態変数を利用して、前記複数のリソースの各々が共有されているかどうかを示すステップとをさらに有することを特徴とする請求項１乃至請求項６のいずれか一項に記載の方法。
【請求項８】
状態変数を前記複数のリソースの各々に対応付けるステップと、前記状態変数を利用して、前記複数のリソースの各々が予約されているかどうかを示すステップであって、予約済みのリソースが前記プロビジョニング環境と確立された論理的な関係をもつものとをさらに有することを特徴とする請求項１乃至請求項７のいずれか一項に記載の方法。
【請求項９】
前記プロビジョニング環境のトポロジーを作成するステップであって、前記トポロジーが前記複数の異なるタイプのリソースのレイアウトを含むものと、前記レイアウトが、前記複数の異なるタイプのリソース間の関係を定義するステップとをさらに有することを特徴とする請求項１乃至請求項８のいずれか一項に記載の方法。
【請求項１０】
前記レイアウトが定義する前記関係を利用して、前記選択した特定のインスタンスが使用するために必要な前記複数のリソースのうちの他のものを識別するステップをさらに有することを特徴とする請求項９に記載の方法。
【請求項１１】
前記特定のインスタンスに対応付けることになる前記複数のリソースの他のものを判定するステップをさらに有することを特徴とする請求項１０に記載の方法。
【請求項１２】
前記複数のリソースの中から、前記特定のインスタンスに依存する他のものを判定するステップをさらに有することを特徴とする請求項１０に記載の方法。
【請求項１３】
データ処理システムにおいてリソースを論理的にプロビジョニングするシステムであって、前記システムに内蔵されて、プロビジョニング環境で複数のリソースのうちの１つについての要求を受信するためのコードを実行するＣＰＵであって、前記複数のリソースのうちの前記１つが複数の異なるタイプのリソースのうちの１つであるものと、前記システムに内蔵されて、前記複数の異なるタイプのリソースの未割り当ての利用可能なリソースのグループから、前記複数のリソースの前記１つの特定のインスタンスを選択するためのコードを実行するＣＰＵと、前記システムに内蔵されて、前記選択した特定のインスタンスと他のリソースとの論理的な関係を確立することによって、前記要求を履行するために前記選択した特定のインスタンスを追加して前記選択した特定のインスタンスを論理的にプロビジョニングするためのコードを実行するＣＰＵとを有することを特徴とするシステム。
【請求項１４】
リソースを論理的にプロビジョニングするデータ処理システムのコンピュータプログラムで、前記プログラムが、プロビジョニング環境で複数のリソースのうちの１つについての要求を受け取る命令手段であって、前記複数のリソースのうちの１つが複数の異なるタイプのリソースのうちの１つであるものと、前記複数の異なるタイプのリソースのうち未割り当てで利用可能なリソースのグループから、前記複数のリソースのうちの前記１つの特定のインスタンスを選択する命令手段と、前記選択した特定のインスタンスと他のリソースとの論理的な関係を確立することによって、要求を履行するために前記選択した特定のインスタンスを追加して前記選択した特定のインスタンスを論理的にプロビジョニングする命令手段とを有することを特徴とするプログラム。
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
複数のステートメントと複数の規則、二つのステートメントをリンクする規則を含む知識ベースを処理するための方法であって、意味が関連している単語のグループ化および相関規則の集合の決定を含む方法。
【請求項２】
第一の対象物と関連付けられたステートメントを、該第一の対象物の上位語である第二の対象物と関連付けられたステートメントで置換することによって、前記知識ベースを一般化するステップをさらに含む請求項１に記載の方法。
【請求項３】
前記知識ベースを用いて推論するステップをさらに含む請求項１に記載の方法。
【請求項４】
前記知識ベースを用いて推論するステップは、前記知識ベースに存在しない対象物を用いて推論するステップを含むことを特徴とする請求項３に記載の方法。
【請求項５】
前記知識ベースに存在しない前記対象物は、前記知識ベースに存在する対象物の上位語および同意語の一つであることを特徴とする請求項４に記載の方法。
【請求項６】
照会に応答するステップと、どのようにタスクを実行するか決定するステップと、願望をどのように達成するか決定するステップ内の一つをさらに含む請求項３に記載の方法。
【請求項７】
合意的知識を決定するステップと常識的知識を決定するステップ内の一つをさらに含む請求項３に記載の方法。
【請求項８】
ロボットの場所を決定するステップをさらに含む請求項３に記載の方法。
【請求項９】
スペリングが誤っているとの決定に従って、前記知識ベースの単語のスペリングを修正するステップをさらに含む請求項１に記載の方法。
【請求項１０】
単語がストップワードリストに載っているとの決定に従って、該単語を除去するステップをさらに含む請求項１に記載の方法。
【請求項１１】
単語が語根形式で無いとの決定に従って、該単語を語根形式の該単語で置換するステップをさらに含む請求項１に記載の方法。
【請求項１２】
意味が関連している単語のグループ化は、潜在的意味解析、スペクトラルクラスタリングおよび主成分分析の一つを使用する、意味が関連している単語のグループ化を含むことを特徴とする請求項１に記載の方法。
【請求項１３】
複数のステートメントと複数の規則、二つのステートメントをリンクする規則を含む知識ベースを処理するための装置であって、意味が関連している単語をグループ化するように設定されたグループ化モジュールおよび相関規則の集合を決定するように設定された相関モジュールを含む装置。
【請求項１４】
第一の対象物と関連付けられたステートメントを、該第一の対象物の上位語である第二の対象物と関連付けられたステートメントで置換することによって、前記知識ベースを一般化するように設定された一般化モジュールをさらに含む請求項１３に記載の装置。
【請求項１５】
前記知識ベースを用いて推論するように設定された推論モジュールをさらに含む請求項１３に記載の装置。
【請求項１６】
前記知識ベースを用いて推論することは、前記知識ベースに存在しない対象物を用いて推論することを含むことを特徴とする請求項１５に記載の装置。
【請求項１７】
前記知識ベースに存在しない前記対象物は、前記知識ベースに存在する対象物の上位語および同意語の一つであることを特徴とする請求項１６に記載の装置。
【請求項１８】
照会に応答することと、どのようにタスクを実行するか決定することと、願望をどのように達成するか決定することの内の一つをさらに含む請求項１５に記載の装置。
【請求項１９】
合意的知識を決定することと常識的知識を決定することの内の一つをさらに含む請求項１５に記載の装置。
【請求項２０】
ロボットの場所を決定することをさらに含む請求項１５に記載の装置。
【請求項２１】
スペリングが誤っているとの決定に従って、前記知識ベースの単語を修正することをさらに含む請求項１３に記載の装置。
【請求項２２】
単語がストップワードリストに載っているとの決定に従って、該単語を除去することをさらに含む請求項１３に記載の装置。
【請求項２３】
単語が語根形式で無いとの決定に従って、該単語を該単語の語根形式で置換することをさらに含む請求項１３に記載の装置。
【請求項２４】
意味が関連している単語のグループ化は、潜在的意味解析、スペクトラルクラスタリングおよび主成分分析の内の一つを使用する、意味が関連している単語のグループ化を含むことを特徴とする請求項１３に記載の装置。
【請求項２５】
複数のステートメントと複数の規則、二つのステートメントをリンクする規則を含む知識ベースを処理するための装置であって、意味が関連している単語をグループ化するための手段および相関規則の集合を決定するための手段を含む装置。
【請求項２６】
第一の対象物と関連付けられたステートメントを、該第一の対象物の上位語である第二の対象物と関連付けられたステートメントで置換することによって、前記知識ベースを一般化するための手段をさらに含む請求項２５に記載の装置。
【請求項２７】
前記知識ベースを用いて推論するための手段をさらに含む請求項２５に記載の装置。
【請求項２８】
前記知識ベースを用いて推論することは、前記知識ベースに存在しない対象物を用いて推論することを含むことを特徴とする請求項２７に記載の装置。
【請求項２９】
前記知識ベースに存在しない前記対象物は、前記知識ベースに存在する対象物の上位語および同意語の一つであることを特徴とする請求項２８に記載の装置。
【請求項３０】
照会に応答するための手段と、どのようにタスクを実行するか決定するための手段と、願望をどのように達成するか決定するための手段の一つをさらに含む請求項２７に記載の装置。
【請求項３１】
合意的知識を決定するための手段と常識的知識を決定するための手段の一つをさらに含む請求項２７に記載の装置。
【請求項３２】
ロボットの場所を決定するための手段をさらに含む請求項２７に記載の装置。
【請求項３３】
スペリングが誤っているとの決定に従って、前記知識ベースの単語を修正するための手段をさらに含む請求項２５に記載の装置。
【請求項３４】
単語がストップワードリストに載っているとの決定に従って、該単語を除去するための手段をさらに含む請求項２５に記載の装置。
【請求項３５】
単語が語根形式で無いとの決定に従って、該単語を語根形式の該単語で置換するための手段をさらに含む請求項２５に記載の装置。
【請求項３６】
意味が関連している単語のグループ化は、潜在的意味解析、スペクトラルクラスタリングおよび主成分分析の内の一つを使用する、意味が関連している単語のグループ化を含むことを特徴とする請求項２５に記載の装置。